(57)【特許請求の範囲】
【請求項１】
壁面、あるいは手摺支柱等の取付基部に固定されるブラケット本体と、
ブラケット本体の取付基部への固定部から所定間隔離れた位置で該ブラケット本体に水平回転操作可能に連結され、回転中心から適宜間隔離れた位置に手摺笠木を支持する笠木支持部を備えた間隔調整部材とを有する手摺ブラケット。
【請求項２】
前記ブラケット本体には取付基部から所定間隔離れた位置で手摺笠木を支持する笠木支持部が設けられ、
前記間隔調整部材は、前記ブラケット本体の笠木支持部を外嵌し、外嵌位置周りに回転操作、および着脱操作可能に連結される請求項１記載の手摺ブラケット。
【請求項３】
前記間隔調整部材は、ブラケット本体の笠木支持部に形成される笠木支承面に支承されて止着子により止着位置周りに回転自在に連結される請求項２記載の手摺ブラケット。
【請求項４】
前記ブラケット本体は、支柱状の取付基部を挟持位置周りに回転位置調整可能に挟持して該取付基部に連結可能な請求項１、２または３記載の手摺ブラケット。
【請求項５】
コーナー部において所定角度で交差する手摺設置基準面に沿って配置される手摺笠木をコーナー部に配置されるコーナー連結具を介して連結した手摺であって、
前記コーナー部において取付基部に固定され、笠木支持部において前記コーナー連結具を連結する請求項１記載の手摺ブラケットを有し、
前記取付基部に対する手摺ブラケットの回転位置、および間隔調整部材のブラケット本体に対する回転位置を調整して両手摺設置基準面に対して等間隔に手摺笠木を配設した手摺。
【請求項６】
前記取付基部は支柱状に形成されるとともに、
前記ブラケット本体は、前記取付基部を側方から挟み付けて該取付基部に回転位置調整可能に固定される請求項５記載の手摺。
【発明の詳細な説明】
【技術分野】
【０００１】
本発明は、手摺ブラケットに関するものである。
【背景技術】
【０００２】
手摺支柱、壁面等の手摺取付基部との間隔を調整可能な手摺ブラケットとしては、特許文献１に記載のものが知られている。
【０００３】
この従来例において、手摺ブラケットは、手摺支柱に固定されるブラケット台座３０にブラケット本体２１ｂを前後方向スライド操作可能に連結して形成される。
【先行技術文献】
【特許文献】
【０００４】
【特許文献１】特許第３９７７７８９号公報
【発明の概要】
【発明が解決しようとする課題】
【０００５】
しかし、上述した従来例において、ブラケット本体のスライド調整可能寸法は、ブラケット台座の連結片挿入部３１の深さにより決定され、調整寸法を大きくするためには、連結片挿入部を深くする必要ある。
【０００６】
一方、特許文献１の図１１に示されるように、手摺笠木の支持部は連結片挿入部の先端縁からさらに前方に突出した位置に配置されるために、調整寸法を大きくすると、全体の前方への突出寸法が大きくなり、ブラケット本体２を複雑な形状に形成しなければ、調整前の支柱１からの間隔が過大になるという問題がある。
【０００７】
本発明は、以上の欠点を解消すべくなされたものであって、簡単な構造で取付基部１からの調整代の大きな手摺ブラケット、およびこれを使用した手摺の提供を目的とする。
【課題を解決するための手段】
【０００８】
本発明によれば上記目的は、
壁面、あるいは手摺支柱等の取付基部１に固定されるブラケット本体２と、
ブラケット本体２の取付基部１への固定部から所定間隔離れた位置で該ブラケット本体２に水平回転操作可能に連結され、回転中心から適宜間隔離れた位置に手摺笠木３を支持する笠木支持部４を備えた間隔調整部材５とを有する手摺ブラケットを提供することにより達成される。  
【０００９】
手摺ブラケットは、壁面、支柱等の取付基部１に固定されるブラケット本体２に間隔調整部材５を連結して形成される。間隔調整部材５は、ブラケット本体２の取付基部１への固定部から所定間隔離れた位置でブラケット本体２に回転操作可能に連結されており、回転操作により間隔調整部材５に形成された笠木支持部４の取付基部１からの間隔を自由に調整することができる。
【００１０】
したがって、本発明において、回転調整部材の回転操作により初期設定位置から接近側方向への調整も可能であり、調整代を大きくすることができる。
【００１１】
また、上記目的を達成するための本発明の他の態様として、
前記ブラケット本体２には取付基部１から所定間隔離れた位置で手摺笠木３を支持する笠木支持部６が設けられ、
前記間隔調整部材５は、前記ブラケット本体２の笠木支持部６を外嵌し、外嵌位置周りに回転操作、および着脱操作可能に連結される手摺ブラケットを構成することができる。
【００１２】
間隔調整部材５がブラケット本体２に対して着脱操作可能で、かつ、ブラケット本体２に笠木支持部６が設けられる本発明において、手摺笠木３の取付基部１からの間隔が予め設定された値である場合には、ブラケット本体２のみを使用して手摺笠木３を支持することができ、手摺笠木３の取付基部１からの設置間隔が設定値から増減する場合には、ブラケット本体２に間隔調整部材５を装着し、該間隔調整部材５に設けられた笠木支持部４により手摺笠木３を支持することができる。
【００１３】
したがって本発明において、手摺笠木３の取付基部１に対する設置位置の調整を要しない場合にはブラケット本体２のみを使用して手摺笠木３を支持することができるために、コスト低減を図ることが可能になる。
【００１４】
また、間隔調整部材５を装着した状態で不要となったブラケット本体２の笠木支持部６は間隔調整部材５により覆い隠されるために、美観を高めることができる。
【００１５】
さらに、上記目的を達成するための本発明の他の態様として、
前記間隔調整部材５は、ブラケット本体２の笠木支持部６に形成される笠木支承面７に支承されて止着子８により止着位置周りに回転自在に連結される手摺ブラケットを構成することができる。
【００１６】
間隔調整部材５の連結は適宜手段によることが可能であるが、本発明のように、笠木支承面７により支承して連結すると、間隔調整部材５、および間隔調整部材５に固定される手摺笠木３の荷重負担部材をブラケット本体２に設ける必要がなくなるために、構造が簡単になる。
【００１７】
また、上記目的を達成するための本発明の他の態様として、
前記ブラケット本体２は、支柱状の取付基部１を挟持位置周りに回転位置調整可能に挟持して該取付基部１に連結可能な手摺ブラケットを構成することができる。
【００１８】
ブラケット本体２の取付基部１への取付角度が調整不能な場合、間隔調整部材５への回転操作によりブラケット本体２の固定点を含む平面（手摺設置基準面（Ｓ））と間隔調整部材５上の笠木支持部４との間隔を調整することが可能であるが、手摺設置基準面（Ｓ）が交差するコーナー部においては、図８（ｃ）に示すように、一方の手摺設置基準面（Ｓ）に対する手摺笠木３の設置間隔を変更した場合、他方の手摺設置基準面（Ｓ）との間隔は変更値に一致しなくなる。
【００１９】
これに対し、本発明のように、ブラケット本体２の取付基部１に対する回転を可能にすることにより、図８（ｂ）に示すように、２面の手摺設置基準面（Ｓ）に対して等間隔に手摺笠木３を配置することが可能になり、さらに、図８（ｄ）に示すように、手摺設置基準面（Ｓ）が９０゜以外の角度で交差する場合にも、両面から等間隔に手摺笠木３を配置することが可能になる。
【００２０】
したがって、本発明において、例えば、出隅部、あるいは入隅部においても、２面の手摺設置基準面（Ｓ）からの間隔を等しく保った状態で手摺笠木３を設置することが可能になる。
【００２１】
さらに、上記手摺ブラケットを使用した手摺は、
コーナー部において所定角度で交差する手摺設置基準面（Ｓ）に沿って配置される手摺笠木３をコーナー部に配置されるコーナー連結具９を介して連結した手摺であって、
前記コーナー部において取付基部１に固定され、笠木支持部４６において前記コーナー連結具９を連結する請求項１記載の手摺ブラケットを有し、
前記取付基部１に対する手摺ブラケットの回転位置、および間隔調整部材５のブラケット本体２に対する回転位置を調整して両手摺設置基準面（Ｓ）に対して等間隔に手摺笠木３を配設して構成することができる。
【００２２】
手摺ブラケットの取付基部１に対する回転位置の調整は、取付基部１が壁面である場合を考慮して、ブラケット本体２を取付基部１に対する固定部材と、間隔調整部材５が連結される部材とを相対回転自在に連結することにより実現することが可能であるが、取付基部１が支柱状に形成される場合には、
前記ブラケット本体２は、前記取付基部１を側方から挟み付けて該取付基部１に回転位置調整可能に固定される手摺を構成すると構造が簡単になる。
【発明の効果】
【００２３】
本発明によれば、簡単な構造で取付基部からの調整代を大きくすることができる。
【図面の簡単な説明】
【００２４】
【図１】本発明の手摺を示す図で、（ａ）は平面図、（ｂ）は手摺設置基準面を示す説明図である。
【図２】本発明の手摺を示す図で、（ａ）は図１（ａ）の２Ａ-２Ａ線断面図、（ｂ）は図２（ａ）の２Ｂ部拡大図である。
【図３】コーナー部の手摺支柱を示す図で、（ａ）は手摺ブラケットの正面方向から見た図、（ｂ）は（ａ）の３Ｂ方向矢視図である。
【図４】コーナー連結具を示す図で、（ａ）は図３（ｂ）の４Ａ-４Ａ線断面図、（ｂ）は図４（ａ）の４Ｂ方向矢視図である。
【図５】コーナー連結具の動作を示す図である。
【図６】手摺ブラケットを示す図で、（ａ）は図３（ａ）の６Ａ-６Ａ線断面図、（ｂ）は図３（ａ）の６Ｂ方向矢視図、（ｃ）は図６（ｂ）の６Ｃ-６Ｃ線断面図である。
【図７】手摺ブラケットの調整機能を示す図である。
【図８】手摺ブラケットのコーナー部での調整機能を示す説明図である。
【図９】中間支持具を示す図で、（ａ）は図２（ａ）の９Ａ-９Ａ線断面図、（ｂ）は図２（ａ）の９Ｂ-９Ｂ線断面図である。
【図１０】手摺の変形例を示す図で、（ａ）は平面図、（ｂ）は図１１の１０Ｂ-１０Ｂ線断面図である。
【図１１】図１０（ａ）の１１Ａ方向矢視図である。
【図１２】手摺笠木の変形例を示す図で、（ａ）は断面図、（ｂ）は斜視図である。
【発明を実施するための形態】
【００２５】
図１、２に本発明の手摺ブラケット（Ｂ）を使用した手摺を示す。
【００２６】
手摺は、取付基部１としての手摺支柱間を結んで構成される手摺設置基準面（Ｓ）に沿って上下２段の手摺笠木３を配置して形成される。各手摺笠木３は、図２（ｂ）に示すように、パイプ状芯材３ａの周囲に樹脂層３ｂを設けて形成される。
【００２７】
また、２面の手摺設置基準面（Ｓ）は直交して入隅部を構成し、各手摺設置基準面（Ｓ）に沿って配置される手摺笠木３は入隅部に配置されるコーナー連結具９を介して相互に連結される。
【００２８】
図３に示すように、各手摺支柱１は、下端が設置床面１０に埋設固定されており、上段の手摺笠木３同士を連結するコーナー連結具９は、頭部連結具１１を介して手摺支柱１の上端に固定される。
【００２９】
図４（ａ）に示すように、頭部連結具１１は手摺支柱１の中空部に保持ブロック１１ａを挿入して固定され、保持ブロック１１ａの下端に固定された鋼製のストッパプレート１１ｂを手摺支柱１の内壁面に圧接させることにより抜け止めされる。
【００３０】
コーナー連結具９は、球体を水平方向に分割した上下半球部９ａ、９ｂを分割平面９ｃ同士を重ね合わせて形成され、球体の中心を通り、かつ、分割平面９ｃに直交して上下半球部９ａ、９ｂを貫通するボルト９ｄを使用して上記頭部連結具１１に連結される。ボルト９ｄの頭部の外部への露出を防止するために、上半球部９ａのボルト頭部収容部９ｅはキャップ１２により閉塞される。
【００３１】
頭部連結具１１の上面には下半球部９ｂの球状底面の曲率に一致する曲率を有して下半球部９ｂを支承する球面状の支承凹面１１ｃが形成されており、コーナー連結具９を頭部連結具１１に連結した状態で下半球部９ｂは球状の底面と支承凹面１１ｃとを摺接面として、上半球部９ａは分割平面９ｃを摺接面としてボルト９ｄ周りに水平回転操作することができる。
【００３２】
また、上下半球部９ａ、９ｂには、手摺笠木３の端部を嵌合、固定する笠木嵌合部１３ａを一端に、反対端部に曲率面からなる嵌合凸部１３ｂを備えた笠木連結部材１３が同一高さ位置に連結される。上下半球部９ａ、９ｂには、上記笠木連結部材１３の嵌合凸部１３ｂが嵌合し、底壁が嵌合凸部１３ｂと同じ曲率面からなる嵌合凹部１４が形成されており、笠木連結部材１３の上下半球部９ａ、９ｂへの連結は、嵌合凸部１３ｂを上下半球部９ａ、９ｂに形成される嵌合凹部１４に嵌合させた後、ボルト１５を嵌合凹部１４の底壁にねじ込んで行われる。
【００３３】
嵌合凸部１３ｂのボルト挿通孔１３ｃは縦方向に長い長孔により形成されており、上下半球部９ａ、９ｂに連結された笠木連結部材１３は、垂直方向に回転操作することができる。
【００３４】
したがって、この実施の形態において、笠木連結部材１３、すなわち、笠木連結部材１３に連結された手摺笠木３は、図４（ｂ）に示す直線姿勢から、ボルト９ｄ周りに水平回転させて図５（ａ）、（ｂ）および（ｃ）に示す屈曲姿勢に変化させて入隅、あるいは出隅に対応させ、さらに、図５（ｄ）に示すように、笠木連結部材１３の嵌合凸部１３ｂと上下半球部９ａ、９ｂの嵌合凹部１４の境界に沿って垂直回転させて手摺笠木３の傾斜に対応させることができる。
【００３５】
さらに、下段の手摺笠木３同士を連結するコーナー連結具９は、手摺ブラケット（Ｂ）を介して上記コーナー部の手摺支柱１に装着される。
【００３６】
図６に示すように、手摺ブラケット（Ｂ）は、手摺支柱１に装着されるブラケット本体２に間隔調整部材５を連結して形成される。ブラケット本体２の手摺支柱１への装着は、ブラケット本体２の一端に形成された半円筒部２ａと、カバー片１６の半円筒部１６ａにより手摺支柱１を挟み付けて行われ、カバー片１６は、一端に形成される係止部１６ｂをブラケット本体２に係止させた後、係止位置周りに回転させ、反対端を連結ボルト１７によりブラケット本体２に締結して行われる。
【００３７】
図６に示すように、カバー片１６の半円筒部１６ａ、およびブラケット本体２の半円筒部２ａは適宜高さ寸法を有し、かつ、手摺笠木３の重力は後述するように、笠木支柱の中心から離れた位置に負荷されるために、ブラケット本体２には図６（ａ）において反時計回りの回転モーメントが発生する。この結果、ブラケット本体２とカバー片１６とにより形成される円筒部の下端（図６（ａ）における点Ｐ）における手摺支柱１への圧接力が大きくなって不用意に下方に降下することがないために、ブラケット本体２とカバー片１６により緩やかに手摺支柱１を把持した状態でブラケット本体２の手摺支柱１に対する回転姿勢、および装着高さの双方の調整を容易に行うことができる。
【００３８】
また、上記ブラケット本体２には笠木支持部６が設けられる。笠木支持部６は断面円形に形成され、半円筒部２ａに対する反対端からから上方に突出する。この笠木支持部６の上端には球面により形成される凹状の笠木支承面７が形成される。
【００３９】
一方、間隔調整部材５は、一端に上記ブラケット本体２の笠木支持部６に外嵌される嵌合凹部５ａを有し、他端に笠木支持部４を有してアーム状に形成される。
【００４０】
本例において間隔調整部材５の笠木支持部４は、ブラケット本体２の笠木支承面７と同一で、かつ、コーナー連結具９の下半球部９ｂと同一の曲率面により凹状に形成されており、該笠木支持部４にコーナー連結具９がボルト９ｄを使用して連結される。
【００４１】
また、間隔調整部材５の嵌合凹部５ａの天井面は、笠木支承面７の曲率よりやや小寸の曲率を有する凸面として形成されており、凸面をブラケット本体２の笠木支承面７上に支承した状態で、ボルト８を使用して笠木支承面７にネジ止めされる。
【００４２】
ネジ止めされた状態で、間隔調整部材５はネジ止め箇所を中心にブラケット本体２に対して回転操作が可能になる。
【００４３】
したがって、間隔調整部材５の笠木支持部４にコーナー連結具９を固定する本例において、間隔調整部材５を図７（ａ）に示す位置から図７（ｂ）に示す位置まで回転操作すると、手摺支柱１からの間隔をＤ0からＤ1に調整することができる。
【００４４】
また、間隔調整部材５の回転位置を調整することにより、図７（ｃ）に示すように、コーナー連結具９を固定する笠木支持部４を間隔調整部材５の回転中心位置より手摺支柱１寄りに位置させる（間隔Ｄ2）こともできる。
【００４５】
図８に、以上のように構成される手摺ブラケット（Ｂ）を使用して入隅部に手摺笠木３を固定する場合の手摺設置基準面（Ｓ）からの間隔の調整を示す。
【００４６】
まず、図８（ａ）は、図１（ａ）に対応しており、手摺設置基準面（Ｓ）の交差角（９０゜）の二等分線上に間隔調整部材５の回転中心、および間隔調整部材５の笠木支持部４が配置される。
【００４７】
この状態から図８（ｂ）に示すように、ブラケット本体２の手摺支柱１に対する回転位置と、間隔調整部材５のブラケット本体２に対する回転位置とを調整すると、手摺笠木３の設置位置を２面の手摺設置基準面（Ｓ）からの間隔を等しくして手摺設置基準面（Ｓ）側に接近させることができる。
【００４８】
なお、図８（ｃ）は、ブラケット本体２の手摺支柱１に対する回転位置を変えることなく間隔調整部材５のみを回転操作した場合には、２面の手摺設置基準面（Ｓ）からの間隔を等しくできないことを示す説明図である。
【００４９】
さらに、図８（ａ）、（ｂ）は直交する入隅部における寸法調整を示したが、ブラケット本体２の手摺支柱１に対する回転位置と、間隔調整部材５のブラケット本体２に対する回転位置とを適正に調整すると、図８（ｄ）に示すように、９０°以外の交差角で交差するコーナー部においても２面の手摺設置基準面（Ｓ）からの間隔を等しくすることができる。
【００５０】
以上のように、入隅部においてコーナー連結具９により相互に連結される手摺笠木３の中間部は、図１（ａ）、図２（ａ）に示すように、中間支持具１８により支持される。
【００５１】
図９に示すように、中間支持具１８は、所定長を有する一対の挟持片１８ａをボルト１８ｂにより連結して形成され、挟持片１８ａにより手摺笠木３を挟み付けた後、タッピンスクリュー１８ｃをねじ込むことにより手摺笠木３を固定する。
【００５２】
図９（ａ）に示すように、上段の手摺笠木３を支持する中間支持具１８は、手摺支柱１の上端に連結される頭部連結具１１に挟持片１８ａ同士を連結するボルト１８ｂを使用して連結される。
【００５３】
一方、下段の手摺笠木３を支持する中間支持具１８は、図９（ｂ）に示すように、手摺支柱１に装着される中間ブラケット１９にボルト１８ｂを使用して連結される。中間ブラケット１９は、上述したコーナー部のブラケット本体２と同様の構成で手摺支柱１に装着される。
【００５４】
また、これら中間支持具１８は、頭部連結具１１、および中間ブラケット１９に対してボルト１８ｂ周りに垂直回転自在であり、傾斜姿勢で配設された手摺笠木３に対応する。
【００５５】
さらに、図１（ａ）に示すように、手摺笠木の終端部には、キャップ部材２０が装着される。キャップ部材２０は、一端が閉塞された筒形状に形成され、上述した中間支持具１８と同様にボルト１８ｂを使用して頭部連結具１１、あるいは中間ブラケット１９に連結される。
【００５６】
なお、以上においては、手摺笠木３の中間部を中間支持具１８により支持する場合を示したが、手摺笠木３を上述したコーナー連結具９により相互に連結すると、図１１に示す階段手摺のように、縦方向に屈曲する手摺を形成することができる。
【００５７】
この場合、縦方向屈曲部のコーナー連結具９を固定するために、コーナー部で使用される手摺ブラケット（Ｂ）から間隔調整部材５を取り外したブラケット本体２が使用され、コーナー連結具９は、図１０（ｂ）に示すように、ブラケット本体２の笠木支持部４６にボルトを使用して連結される。
【００５８】
したがってこの実施の形態において、コーナー部において使用されるブラケット本体２をそのままコーナー部以外の箇所に使用することができるために、部品点数を減少させることができる。
【００５９】
なお、以上において、手摺笠木３のパイプ状芯材３ａは円筒形状に形成する場合を示したが、この他に、図１２に示すように、円周方向所定ピッチで補強リブ３ｃを突設したものを使用することができる。この場合、コーナー連結具９等に止着するためのタッピンスクリュー１８ｃは図１２（ａ）において鎖線で示すように、補強リブ３ｃを避けた位置にねじ込まれる。
【符号の説明】
【００６０】
１        取付基部
２        ブラケット本体
３        手摺笠木
４        間隔調整部材の笠木支持部
５        間隔調整部材
６        ブラケット本体の笠木支持部
７        笠木支承面
８        止着子
９        コーナー連結具
Ｓ        手摺設置基準面
Ｂ        手摺ブラケット
【図１】
0006433221.tif 000002
【図２】
0006433221.tif 000003
【図３】
0006433221.tif 000004
【図４】
0006433221.tif 000005
【図５】
0006433221.tif 000006
【図６】
0006433221.tif 000007
【図７】
0006433221.tif 000008
【図８】
0006433221.tif 000009
【図９】
0006433221.tif 000010
【図１０】
0006433221.tif 000011
【図１１】
0006433221.tif 000012
【図１２】
0006433221.tif 000013